【手続補正書】
【提出日】平成16年10月7日(2004.10.7)
【手続補正１】
【補正対象書類名】明細書
【補正対象項目名】特許請求の範囲
【補正方法】変更
【補正の内容】
【特許請求の範囲】
【請求項１】
（ａ）約４０〜約９５重量％の水、
（ｂ）約０．５〜約５０重量％のレオロジー剤、
（ｃ）約０．５〜約４０重量％の保持力剤、
（ｄ）約０〜約４０重量％の潤滑剤、及び
（ｅ）約０〜約２５重量％の摩擦変化剤、からなる摩擦調節液体組成物であって、
前記潤滑剤が約０重量％ならば、前記組成物は少なくとも約０．５重量％の摩擦変化剤を含み、及び前記摩擦変化剤が約０重量％ならば前記組成物は少なくとも約１重量％の潤滑剤を含み、そして、
前記保持力剤がアクリル類；ポリビニルアルコール、ポリ塩化ビニル、Ａｉｒｆｌｅｘ（商標）７２８、Ｅｖａｎｏｌ（商標）、Ｒｏｖａｃｅ（商標）９１００、Ｒｏｖａｃｅ０１６５（商標）およびこれらの混合物から選択されるポリビニル類；オキサゾリン類；エポキシ化合物；アルキッド化合物；変性アルキッド化合物；ウレタン・アクリル化合物；アクリルラテックス；アクリル・エポキシ混成物；ポリウレタン；Ａｃｒｏｎａｌ（商標）Ｓ７６０、Ｒｈｏｐｌｅｘ（商標）Ｅ−３２３２ＬＯ、Ｒｈｐｌｅｘ（商標）ＨＧ−７４Ｐ、Ｅｍｕｌｓｉｏｎ（商標）Ｅ−１６３０、Ｅｍｕｌｓｉｏｎ（商標）Ｅ−３２３３からなる群から選ばれるスチレン・アクリレート；Ｌａｔｅｘ２２６およびＬａｔｅｘ２４０からなる群から選ばれるスチレンブタジエン化合物；およびこれらの混合物からなる群から選ばれるものである。
【請求項２】
湿潤剤、抗菌剤、軟度変化剤、消泡剤あるいはこれらの混合物をさらに含むことを特徴とする請求項１項記載の摩擦調節組成物。
【請求項３】
前記保持力剤がアクリル系化合物、ポリビニルアルコール、ポリ塩化ビニル、オキサゾリン系化合物、エポキシ系化合物、アルキド系化合物、ウレタン・アクリル系化合物、変性アルキド系化合物、アクリルラテックス、アクリルエポキシハイブリッド類、ポリウレタンおよびこれらの混合物からなる群から選ばれることを特徴とする請求項１項記載の摩擦調節組成物。
【請求項４】
前記レオロジー剤がクレー、ベントナイト、モンモリロナイト、カゼイン、カルボキシメチルセルロース、カルボキシヒドロキシメチメセルロース、エトキシメチルセルロース、キトサン、澱粉、Ｈｅｃｔａｂｒｉｔｅ（商標）、Ｍｅｔｈｏｃｅｌ（商標）およびその混合物からなる群から選ばれることを特徴とする請求項１項記載の摩擦調節組成物。
【請求項５】
前記レオロジー剤がカルボキシメチルセルロースであることを特徴とする請求項４項記載の摩擦調節組成物。
【請求項６】
前記保持力剤が、Ｒｈｏｐｌｅｘ（商標）ＡＣ２６４、Ｒｈｏｐｌｅｘ（商標）ＭＶ−２３ＬＯ及びＭａｉｎｃｏｔｅ（商標）ＨＧ５６から選ばれるアクリル類であることを特徴とする請求項１項記載の摩擦調節組成物。
【請求項７】
前記保持力剤がポリビニルであり、Ａｉｒｆｌｅｘ（商標）７２８、Ｅｖａｎｏｌ（商標）、Ｒｏｖａｃｅ（商標）９１００及びＲｏｖａｃｅ（商標）０１６５からなる群から選ばれることを特徴とする請求項１項記載の摩擦調節組成物。
【請求項８】
前記保持力剤がオキサゾリン化合物であり、Ａｑｕａｚｏｌ（商標）５０及びＡｑｕａｚｏｌ（商標）５００からなる群から選ばれることを特徴とする請求項１項記載の摩擦調節組成物。
【請求項９】
前記保持力剤がスチレンブタジエン化合物であり、Ｄｏｗ（商標）Ｌａｔｅｘ２２６及びＤｏｗ（商標）Ｌａｙｔｅｘ２４０からなる群から選ばれることを特徴とする請求項１項記載の摩擦調節組成物。
【請求項１０】
前記保持力剤がスチレン・アクリレート化合物であり、Ａｃｒｏｎａｌ（商標）Ｓ７６０、Ｒｈｏｐｌｅｘ（商標）Ｅ−３２３２ＬＯ、Ｒｈｏｐｌｅｘ（商標）ＨＧ−７４Ｐ、Ｅｍｕｌｓｉｏｎ（商標）Ｅ−１６３０及びＥｍｕｌｓｉｏｎ（商標）Ｅ−３２３３からなる群から選ばれることを特徴とする請求項１項記載の摩擦調節組成物。
【請求項１１】
前記保持力剤がエポキシ化合物であり、Ａｎｃａｒｅｓ（商標）ＡＲ５５０、２，２‘−［（１−メチルエチリデン）ビス（４，１−フェニレンオキシメチレン）］ビスオキシランホモポリマー、ＥＰＯＴＵＦ（商標）３７−１４７及びＥＰＯＤＩＬ（商標）−Ｌからなる群から選ばれることを特徴とする請求項１項記載の摩擦調節組成物。
【請求項１２】
前記保持力剤がエポキシ化合物であり、さらにアミンあるいはアミドからなる群から選ばれる硬化剤を含むことを特徴とする請求項１項記載の摩擦調節組成物。
【請求項１３】
前記硬化剤がＡｎｑｕａｍｉｎｅ（商標）４１９、Ａｎｑｕａｍｉｎｅ（商標）４５６及びＡｎｃａｍｉｎｅ（商標）Ｋ５４からなる群から選ばれることを特徴とする請求項１２項記載の摩擦調節組成物。
【請求項１４】
（ａ）約４０〜約９５重量％の水、
（ｂ）約０．５〜約３０重量％のレオロジー調節剤、
（ｃ）約０．５〜約２５重量％の摩擦変化剤、
（ｄ）約０．５〜約４０重量％の保持力剤、及び
（ｅ）約０．０２〜約２５重量％の潤滑剤、からなることを特徴とする請求項１項記載の摩擦調節液体組成物。
【請求項１５】
軟度変化剤、抗菌剤、湿潤剤、消泡剤あるいはこれらの混合物をさらに含むことを特徴とする請求項１４項記載の摩擦調節液体組成物。
【請求項１６】
前記保持力剤がアクリル系化合物、ポリビニルアルコール、ポリ塩化ビニル、オキサゾリン系化合物、エポキシ系化合物、アルキッド系化合物、変性アルキッド系化合物、ウレタン・アクリル系化合物、アクリル・ラテックス、アクリル・エポキシハイブリッド、ポリウレタンおよびこれらの混合物からなる群から選ばれることを特徴とする請求項１４項記載の摩擦調節液体組成物。
【請求項１７】
前記レオロジー剤がクレー、ベントナイト、モンモリロナイト、カゼイン、カルボキシメチルセルロース、カルボキシヒドロキシメチメセルロース、エトキシメチルセルロース、キトサン、澱粉、Ｈｅｃｔａｂｒｉｔｅ（商標）、Ｍｅｔｈｏｃｅｌ（商標）およびその混合物からなる群から選ばれることを特徴とする請求項１４項記載の摩擦調節組成物。
【請求項１８】
（ａ）約５０〜約８０重量％の水、
（ｂ）約１〜約１０重量％のレオロジー調節剤、
（ｃ）約１〜約５重量％の摩擦変化剤、
（ｄ）約１〜約１６重量％の保持力剤、及び
（ｅ）約１〜約１３重量％の潤滑剤、から成ることを特徴とする請求項１４項記載の摩擦調節組成物。
【請求項１９】
前記保持力剤がアクリル化合物であり、かつ前記レオロジー剤がカルボキシメチルセルローズであることを特徴とする請求項１７項記載の摩擦調節組成物。
【請求項２０】
前記保持力剤がアクリル化合物であり、Ｒｈｏｐｌｅｘ（商標）ＡＣ２６４、Ｒｈｏｐｌｅｘ（商標）ＭＶ−２３ＬＯ及びＭａｉｎｃｏｔｅ（商標）ＨＧ５６からなる群から選ばれることを特徴とする請求項１４項記載の摩擦調節組成物。
【請求項２１】
前記保持力剤がポリビニル化合物であり、ポリビニルアルコール、ポリ塩化ビニル、Ａｉｒｆｌｅｘ（商標）７２８、Ｅｖａｎｏｌ（商標）、Ｒｏｖａｃｅ（商標）９１００及びＲｏｖａｃｅ（商標）０１６５からなる群から選ばれることを特徴とする請求項１４項記載の摩擦調節組成物。
【請求項２２】
前記保持力剤がオキサゾリン化合物であり、Ａｑｕａｚｏｌ（商標）５０及びＡｑｕａｚｏｌ（商標）５００からなる群から選ばれることを特徴とする請求項１４項記載の摩擦調節組成物。
【請求項２３】
前記保持力剤がスチレンブタジエン化合物であり、Ｄｏｗ（商標）Ｌａｔｅｘ２２６及びＤｏｗ（商標）Ｌａｙｔｅｘ２４０からなる群から選ばれることを特徴とする請求項１４項記載の摩擦調節組成物。
【請求項２４】
前記保持力剤がスチレン・アクリレート化合物であり、Ａｃｒｏｎａｌ（商標）Ｓ７６０、Ｒｈｏｐｌｅｘ（商標）Ｅ−３２３２ＬＯ、Ｒｈｏｐｌｅｘ（商標）ＨＧ−７４Ｐ、Ｅｍｕｌｓｉｏｎ（商標）Ｅ−１６３０及びＥｍｕｌｓｉｏｎ（商標）Ｅ−３２３３からなる群から選ばれることを特徴とする請求項１４項記載の摩擦調節組成物。
【請求項２５】
前記保持力剤がエポキシ化合物であり、Ａｎｃａｒｅｓ（商標）ＡＲ５５０、２，２‘−［（１−メチルエチリデン）ビス（４，１−フェニレンオキシメチレン）］ビスオキシラン・ホモポリマー、ＥＰＯＴＵＦ（商標）３７−１４７及びＥＰＯＤＩＬ（商標）−Ｌからなる群から選ばれることを特徴とする請求項１４項記載の摩擦調節組成物。
【請求項２６】
前記保持力剤がエポキシ化合物であり、さらにアミンあるいはアミドからなる群から選ばれる硬化剤を含むことを特徴とする請求項１４項記載の摩擦調節組成物。
【請求項２７】
前記硬化剤がＡｎｑｕａｍｉｎｅ（商標）４１９、Ａｎｑｕａｍｉｎｅ（商標）４５６及びＡｎｃａｍｉｎｅ（商標）Ｋ５４からなる群から選ばれることを特徴とする請求項２６項記載の摩擦調節組成物。
【請求項２８】
（ａ）約４０〜約８０重量％の水、
（ｂ）約０．５〜約３０重量％のレオロジー調節剤、
（ｃ）約２〜約２０重量％の摩擦変化剤、及び
（ｄ）約０．５〜約４０重量％の保持力剤、からなることを特徴とする請求項１項記載の摩擦調節液体組成物。
【請求項２９】
軟度変化剤、抗菌剤、湿潤剤、消泡剤あるいはこれらの混合物をさらに含むことを特徴とする請求項２８項記載の摩擦調節液体組成物。
【請求項３０】
前記保持力剤がアクリル系化合物、ポリビニルアルコール、ポリ塩化ビニル、オキサゾリン系化合物、エポキシ系化合物、アルキッド系化合物、変性アルキッド系化合物、ウレタン・アクリル系化合物、アクリル・ラテックス、アクリル・エポキシハイブリッド、ポリウレタン、スチレン・アクリレート、スチレン・ブタジエンベースの化合物およびこれらの混合物からなる群から選ばれることを特徴とする請求項２８項記載の摩擦調節液体組成物。
【請求項３１】
前記レオロジー剤がクレー、ベントナイト、モンモリロナイト、カゼイン、カルボキシメチルセルロース、カルボキシヒドロキシメチメセルロース、エトキシメチルセルロース、キトサン、澱粉、Ｈｅｃｔａｂｒｉｔｅ（商標）、Ｍｅｔｈｏｃｅｌ（商標）およびその混合物からなる群から選ばれることを特徴とする請求項２８項記載の摩擦調節組成物。
【請求項３２】
（ａ）約５５〜約７５重量％の水、
（ｂ）約１〜約９重量％のレオロジー調節剤、
（ｃ）約５〜約９重量％の摩擦変化剤、及び
（ｄ）約２〜約１１重量％の保持力剤、からなることを特徴とする請求項２８項記載の摩擦調節組成物。
【請求項３３】
前記保持力剤がアクリル化合物であり、かつ前記レオロジー剤がカルボキシメチルセルローズであることを特徴とする請求項３１項記載の摩擦調節組成物。
【請求項３４】
前記保持力剤がアクリル化合物であり、Ｒｈｏｐｌｅｘ（商標）ＡＣ２６４、Ｒｈｏｐｌｅｘ（商標）ＭＶ−２３ＬＯ及びＭａｉｎｃｏｔｅ（商標）ＨＧ５６からなる群から選ばれることを特徴とする請求項２８項記載の摩擦調節組成物。
【請求項３５】
前記保持力剤がポリビニル化合物であり、ポリビニルアルコール、ポリ塩化ビニル、Ａｉｒｆｌｅｘ（商標）７２８、Ｅｖａｎｏｌ（商標）、Ｒｏｖａｃｅ（商標）９１００及びＲｏｖａｃｅ（商標）０１６５からなる群から選ばれることを特徴とする請求項２８項記載の摩擦調節組成物。
【請求項３６】
前記保持力剤がオキサゾリン系化合物であり、Ａｑｕａｚｏｌ（商標）５０及びＡｑｕａｚｏｌ（商標）５００からなる群から選ばれることを特徴とする請求項２８項記載の摩擦調節組成物。
【請求項３７】
前記保持力剤がスチレン・ブタジエン化合物であり、Ｄｏｗ（商標）Ｌａｔｅｘ２２６及びＤｏｗ（商標）Ｌａｙｔｅｘ２４０からなる群から選ばれることを特徴とする請求項２８項記載の摩擦調節組成物。
【請求項３８】
前記保持力剤がスチレン・アクリレート化合物であり、Ａｃｒｏｎａｌ（商標）Ｓ７６０、Ｒｈｏｐｌｅｘ（商標）Ｅ−３２３２ＬＯ、Ｒｈｏｐｌｅｘ（商標）ＨＧ−７４Ｐ、Ｅｍｕｌｓｉｏｎ（商標）Ｅ−１６３０及びＥｍｕｌｓｉｏｎ（商標）Ｅ−３２３３からなる群から選ばれることを特徴とする請求項２８項記載の摩擦調節組成物。
【請求項３９】
前記保持力剤がエポキシ化合物であり、Ａｎｃａｒｅｓ（商標）ＡＲ５５０、２，２‘−［（１−メチルエチリデン）ビス（４，１−フェニレンオキシメチレン）］ビスオキシラン・ホモポリマー、ＥＰＯＴＵＦ（商標）３７−１４７及びＥＰＯＤＩＬ（商標）−Ｌからなる群から選ばれることを特徴とする請求項２８項記載の摩擦調節組成物。
【請求項４０】
前記保持力剤がエポキシ化合物であり、さらにアミンおよびアミドからなる群から選ばれる硬化剤を含むことを特徴とする請求項２８項記載の摩擦調節組成物。
【請求項４１】
前記硬化剤がＡｎｑｕａｍｉｎｅ（商標）４１９、Ａｎｑｕａｍｉｎｅ（商標）４５６及びＡｎｃａｍｉｎｅ（商標）Ｋ５４からなる群から選ばれることを特徴とする請求項４０項記載の摩擦調節組成物。
【請求項４２】
（ａ）約４０〜約８０重量％の水、
（ｂ）約０．５〜約５０重量％のレオロジー調節剤、
（ｃ）約０．５〜約４０重量％の保持力剤、及び
（ｄ）約１〜約４０重量％の潤滑剤、からなることを特徴とする請求項１項記載の摩擦調節液体組成物。
【請求項４３】
軟度変化剤、抗菌剤、湿潤剤、消泡剤あるいはこれらの混合物をさらに含むことを特徴とする請求項４２項記載の摩擦調節液体組成物。
【請求項４４】
前記保持力剤がアクリル系化合物、ポリビニルアルコール、ポリ塩化ビニル、オキサゾリン系化合物、エポキシ系化合物、アルキッド系化合物、変性アルキッド化合物、ウレタン・アクリル系化合物、アクリル・ラテックス、アクリル・エポキシハイブリッド、ポリウレタン、およびこれらの混合物からなる群から選ばれることを特徴とする請求項４２項記載の摩擦調節液体組成物。
【請求項４５】
前記レオロジー剤がクレー、ベントナイト、モンモリロナイト、カゼイン、カルボキシメチルセルロース、カルボキシヒドロキシメチメセルロース、エトキシメチルセルロース、キトサン、澱粉、Ｈｅｃｔａｂｒｉｔｅ（商標）、Ｍｅｔｈｏｃｅｌ（商標）およびこれらの混合物からなる群から選ばれることを特徴とする請求項４２項記載の摩擦調節組成物。
【請求項４６】
（ａ）約４５〜約６５重量％の水、
（ｂ）約４〜約９重量％のレオロジー調節剤、
（ｃ）約１０〜約２０重量％の保持力剤、及び
（ｄ）約３〜約１３重量％の潤滑剤、からなることを特徴とする請求項４２項記載の摩擦調節組成物。
【請求項４７】
前記保持力剤がアクリル化合物であり、かつ前記レオロジー剤がカルボキシメチルセルローズであることを特徴とする請求項４５項記載の摩擦調節組成物。
【請求項４８】
前記保持力剤がアクリル化合物であり、Ｒｈｏｐｌｅｘ（商標）ＡＣ２６４、Ｒｈｏｐｌｅｘ（商標）ＭＶ−２３ＬＯ及びＭａｉｎｃｏｔｅ（商標）ＨＧ５６からなる群から選ばれることを特徴とする請求項４２項記載の摩擦調節組成物。
【請求項４９】
前記保持力剤がポリビニル化合物であり、ポリビニルアルコール、ポリ塩化ビニル、Ａｉｒｆｌｅｘ（商標）７２８、Ｅｖａｎｏｌ（商標）、Ｒｏｖａｃｅ（商標）９１００及びＲｏｖａｃｅ（商標）０１６５からなる群から選ばれることを特徴とする請求項４２項記載の摩擦調節組成物。
【請求項５０】
前記保持力剤がオキサゾリン系化合物であり、Ａｑｕａｚｏｌ（商標）５０及びＡｑｕａｚｏｌ（商標）５００からなる群から選ばれることを特徴とする請求項４２項記載の摩擦調節組成物。
【請求項５１】
前記保持力剤がスチレン・ブタジエン化合物であり、Ｄｏｗ（商標）Ｌａｔｅｘ２２６及びＤｏｗ（商標）Ｌａｙｔｅｘ２４０からなる群から選ばれることを特徴とする請求項４２項記載の摩擦調節組成物。
【請求項５２】
前記保持力剤がスチレン・アクリレート化合物であり、Ａｃｒｏｎａｌ（商標）Ｓ７６０、Ｒｈｏｐｌｅｘ（商標）Ｅ−３２３２ＬＯ、Ｒｈｏｐｌｅｘ（商標）ＨＧ−７４Ｐ、Ｅｍｕｌｓｉｏｎ（商標）Ｅ−１６３０及びＥｍｕｌｓｉｏｎ（商標）Ｅ−３２３３からなる群から選ばれることを特徴とする請求項４２項記載の摩擦調節組成物。
【請求項５３】
前記保持力剤がエポキシ化合物であり、Ａｎｃａｒｅｓ（商標）ＡＲ５５０、２，２‘−［（１−メチルエチリデン）ビス（４，１−フェニレンオキシメチレン）］ビスオキシラン・ホモポリマー、ＥＰＯＴＵＦ（商標）３７−１４７及びＥＰＯＤＩＬ（商標）−Ｌからなる群から選ばれることを特徴とする請求項４２項記載の摩擦調節組成物。
【請求項５４】
前記保持力剤がエポキシ化合物であり、さらにアミンおよびアミドからなる群から選ばれる硬化剤を含むことを特徴とする請求項４２項記載の摩擦調節組成物。
【請求項５５】
前記硬化剤がＡｎｑｕａｍｉｎｅ（商標）４１９、Ａｎｑｕａｍｉｎｅ（商標）４５６及びＡｎｃａｍｉｎｅ（商標）Ｋ５４からなる群から選ばれることを特徴とする請求項５４項記載の摩擦調節組成物。
【請求項５６】
二つのスチール面の少なくとも一方へ請求項１項記載の摩擦調節液体組成物を塗工することからなる滑動・回転しながら接触する二つのスチール面間における騒音調節方法。
【請求項５７】
前記塗工工程において前記摩擦調節組成物が前記二つのスチール面の少なくとも一方上へ噴霧されることを特徴とする請求項５６項記載の方法。
【請求項５８】
前記塗工工程において前記摩擦調節液体組成物が前記二つのスチール面の少なくとも一方の上に塗布されることを特徴とする請求項５６項記載の方法。
【請求項５９】
二つのスチール面の少なくとも一方へ請求項１項記載の摩擦調節液体組成物を塗工することから構成される滑動・回転しながら接触する二つのスチール面間における横方向力の減少方法。
【請求項６０】
列車の車両の１または２以上の車輪の面あるいは列車の車両がその上を移動するレール面へ請求項１項記載の摩擦調節液体組成物を塗工することからなる二つまたはそれ以上の列車の車両間の牽引棒による牽引力減少方法。
【手続補正２】
【補正対象書類名】明細書
【補正対象項目名】００５３
【補正方法】変更
【補正の内容】
【００５３】
摩擦変化剤
チョーク（炭酸カルシウム）
炭酸マグネシウム
タルク（珪酸マグネシウム）
ベントナイト（天然クレー）
炭じん（石炭）
沈降硫酸バリウム（硫酸カルシウム）
アスベスタ（石綿のアスベスチン誘導体）
チャイナクレー；カオリン系クレー（珪酸アルミニウム）
無定形シリカ（合成品）
天然粘板岩粉末
珪藻土
ステアリン酸亜鉛
ステアリン酸アルミニウム
炭酸マグネシウム
鉛白（酸化鉛）
塩基性炭酸鉛
酸化亜鉛
酸化アンチモン
ドロマイト（ＭｇＣｏ・ＣａＣｏ）
硫酸カルシウム
硫酸バリウム（例えばＢａｒｙｔｅｎ）
ポリエチレン繊維
酸化アルミニウム
酸化マグネシウム
酸化ジルコニウム
あるいはこれらの混合物。
【手続補正３】
【補正対象書類名】明細書
【補正対象項目名】００５５
【補正方法】変更
【補正の内容】
【００５５】
保持力剤には、前記潤滑剤と摩擦変化剤が薄い被膜を形成し及び車輪・レール接触パッチからの移動を阻止するように該潤滑剤及び摩擦変化剤を結合する効果があることが好ましい。さらに保持力剤は使用期間中の物理的完全性を保持し使用中に焼き除かれないことが好ましい。適切な保持力剤は高い固体充填能力、低い粘度、及び望ましくは最低造膜温度を示す。保持力剤の例としては下記のものを挙げることができるが、これらに限定されない。
・ アクリル類。例えば以下に限定されないが、Ｒｈｏｐｌｅｘ（商標）ＡＣ２６４、Ｒｈｏｐｌｅｘ ＭＶ−２３ＬＯ、またはＭａｉｎｃｏｔｅ ＨＧ５６（ローム＆ハース社）。
・ ポリビニル類、ポリビニルアルコール、ポリ塩化ビニルまたはこれらの混合物、例えば以下に例示するがこれらに限定されない、Ａｉｒｆｌｅｘ（商標）７２８（エアプロダクツ＆ケミカル社）、Ｅｖａｎｏｌ（商標）（デュポン社）、Ｒｏｖａｃｅ（商標）９１００またはＲｏｖａｃｅ０１６５（ローム＆ハース社）。
・ オキサゾリン類、例えば以下に例示するが、これらに限定されない、Ａｑｕａｚｏｌ（商標）５０＆５００（ポリマーケミストリー社）。
・ スチレン・ブタジエン化合物。例えば以下に例示するが、これらに限定されない、Ｄｏｗ Ｌａｔｅｘ２２６＆２４０（ダウケミカル社）。
・ スチレン・アクリレート、例えば以下に例示するが、これらに限定されない、Ａｃｒｏｎａｌ（商標）Ｓ７６０（ＢＡＳＦ社）、Ｒｈｏｐｌｅｘ（商標）Ｅ−３２３２ＬＯ、ＲｈｐｌｅｘＨＧ−７４Ｐ（ローム＆ハース社）、Ｅｍｕｌｓｉｏｎ（商標）Ｅ−１６３０、Ｅ−３２３３（ローム＆ハース社）。
・ 樹脂と硬化剤の２成分系から成るエポキシド類。樹脂の選択は摩擦変化剤組成物に用いられる溶媒に依存して行われる。例えば、以下に例示されるがこれらに限定されない、水性配合においては、適切な樹脂としてはＡｎｃａｒｅｓＡＲ５５０（２，２‘−［（１−メチルエチリデン）ビス（４，１−フェニレンオキシメチレン）］ビスオキシラン・ホモポリマー；エアープロダクツ＆ケミカルス社）、ＥＰＯＴＵＦ（商標）３７−１４７（ビスフェノールＡ系エポキシ；レイチホールド社）等の水性エポキシド類が挙げられる。アミンあるいはアミド系硬化剤としては、以下に限定されないが、例えばＡｎｑｕａｍｉｎｅ４１９、４５６及びＡｎｃａｍｉｎｅＫ５４（エアプロダクツ＆ケミカルス社）を水性エポキシ製剤とともに用いることができる。しかし、硬化剤を含まないエポキシ樹脂のみを使った場合にも保持力の増大が認められている。前記エポキシ樹脂は使用中の際は硬化剤と混合されることが好ましい。前記組成物へ添加可能な他の成分としては、汚染された表面への前記組成物の付着を増加させる炭化水素樹脂、例えば以下に限定されないがＥＰＯＤＩＬ−Ｌ（エアプロダクツ社）が挙げられる。有機系溶媒を使用する場合は下記の非水性のエポキシ樹脂及び硬化剤を用いることができる。
・     アルキド類、変性アルキド類。
・     アクリルラテックス。
・     アクリルエポキシ・ハイブリッド。
・     ウレタンアクリル。
・     ポリウレタン分散液。
・     種々ガム及び樹脂、及び上記したものの混合物。
【手続補正４】
【補正対象書類名】図面
【補正対象項目名】図１
【補正方法】変更
【補正の内容】
【図１】
2004509225.tif 000001
【手続補正５】
【補正対象書類名】図面
【補正対象項目名】図２
【補正方法】変更
【補正の内容】
【図２】
2004509225.tif 000002
【手続補正６】
【補正対象書類名】図面
【補正対象項目名】図３Ａ
【補正方法】変更
【補正の内容】
【図３Ａ】
2004509225.tif 000003
【手続補正７】
【補正対象書類名】図面
【補正対象項目名】図３Ｂ
【補正方法】変更
【補正の内容】
【図３Ｂ】
2004509225.tif 000004
【手続補正８】
【補正対象書類名】図面
【補正対象項目名】図３Ｃ
【補正方法】変更
【補正の内容】
【図３Ｃ】
2004509225.tif 000005
【手続補正９】
【補正対象書類名】図面
【補正対象項目名】図３Ｄ
【補正方法】変更
【補正の内容】
【図３Ｄ】
2004509225.tif 000006
【手続補正１０】
【補正対象書類名】図面
【補正対象項目名】図３Ｅ
【補正方法】変更
【補正の内容】
【図３Ｅ】
2004509225.tif 000007
【手続補正１１】
【補正対象書類名】図面
【補正対象項目名】図４
【補正方法】変更
【補正の内容】
【図４】
2004509225.tif 000008